(57)【特許請求の範囲】
【請求項１】
映像を表示する画面を有する液晶パネルと、
前記画面を囲む覆部と、前記覆部から前記画面の反対側に向かって延びる第１の延部と、を有するベゼル部材と、
前記覆部との間で前記液晶パネルを支持する支持部と、前記支持部から前記第１の延部に沿って延びる第２の延部と、を有するフレーム部材と、
前記第１の延部を覆う外周壁と、前記外周壁と一体に形成されるとともに前記第２の延部の先端部を支持する支持面と、を有するカバーと、
を具備する映像表示装置。
【請求項２】
前記第１の延部は、前記覆部の一方の端部から延びる第１の側部と、前記覆部の他方の端部から延びる第２の側部と、を有し、
前記第２の延部は、前記支持部の一方の端部から前記第１の側部に沿って延びる第３の側部と、前記支持部の他方の端部から前記第２の側部に沿って延びる第４の側部と、を有し、
前記支持面は、前記第３の側部の先端部を支持する第１の支持面と、前記第４の側部の先端部を支持する第２の支持面と、を有する、
請求項１の映像表示装置。
【請求項３】
光源と、
前記光源から入射された光を前記液晶パネルに向かって出射する光学部材と、
前記光源を支持するとともに、前記支持部との間で前記光学部材を支持し、前記第２の延部に沿って延びる第３の延部を有するバックカバーと、
前記第１の延部と、前記第２の延部と、前記第３の延部とを固定する固定部材と、
をさらに具備する請求項１又は請求項２の映像表示装置。
【請求項４】
前記バックカバーは、前記画面の反対側に位置する背面を有し、
前記第２の延部の先端部は、前記バックカバーの前記背面から張り出す、
請求項３の映像表示装置。
【請求項５】
前記第３の延部は、前記画面に向かって延びる、請求項３又は請求項４の映像表示装置。
【請求項６】
前記外周壁は、前記第１の延部に面する内面を有し、
前記第１の延部が延びる方向において、前記内面の前記第１の延部に面する部分の長さは、前記支持面の前記第２の延部に面する部分の長さよりも長い、
請求項１又は請求項５の映像表示装置。
【請求項７】
前記第１の延部と前記第２の延部とを固定するネジ、をさらに具備し、
前記第１の延部は、前記覆部から延びるとともに前記第２の延部から離間した第１の部分と、前記第１の部分から延びるとともに前記第２の延部に接する第２の部分と、を有し、
前記第１の部分は、前記外周壁に当接して支持され、
前記第２の部分は、前記ネジのネジ頭に当接する、
請求項１又は請求項６の映像表示装置。
【請求項８】
前記第２の延部と前記支持面とが樹脂によって作られる、請求項１又は請求項７の映像表示装置。
【請求項９】
前記第２の延部の先端部は、前記第１の延部の先端部よりも前記画面の反対側に張り出す、請求項８の映像表示装置。
【請求項１０】
前記カバーは、前記支持面が向く方向に延びるとともに前記支持面を有する支持壁を有する、請求項１又は請求項９の映像表示装置。
【請求項１１】
前記ベゼル部材及び前記フレーム部材は、前記外周壁と前記支持面とによって挟持される、請求項１乃至請求項１０のいずれか一つの映像表示装置。
【発明の詳細な説明】
【技術分野】
【０００１】
本発明の実施形態は、映像表示装置に関する。
【背景技術】
【０００２】
テレビジョン受像装置のような映像表示装置は、例えば、液晶パネルのような映像を表示する部品と、当該部品の背面や側面を覆うカバーとを有する。
【先行技術文献】
【特許文献】
【０００３】
【特許文献１】特開２０１４−１３０３１２号公報
【発明の概要】
【発明が解決しようとする課題】
【０００４】
例えば、映像を表示する部品と、カバーとの間に隙間が生じると、映像表示装置の美観が低下する可能性がある。
【０００５】
本発明が解決する課題の一例は、部品間に隙間が生じることを抑制可能な映像表示装置を提供することである。
【課題を解決するための手段】
【０００６】
一つの実施の形態に係る映像表示装置は、液晶パネルと、ベゼル部材と、フレーム部材と、カバーと、を備える。前記液晶パネルは、映像を表示する画面を有する。前記ベゼル部材は、前記画面を囲む覆部と、前記覆部から前記画面の反対側に向かって延びる第１の延部と、を有する。前記フレーム部材は、前記覆部との間で前記液晶パネルを支持する支持部と、前記支持部から前記第１の延部に沿って延びる第２の延部と、を有する。前記カバーは、前記第１の延部を覆う外周壁と、前記外周壁と一体に形成されるとともに前記第２の延部の先端部を支持する支持面と、を有する。 
【図面の簡単な説明】
【０００７】
【図１】図１は、一つの実施の形態に係るテレビジョン受像装置を示す斜視図である。
【図２】図２は、一つの実施形態の表示装置を示す断面図である。
【図３】図３は、一つの実施形態の表示装置の一部を示す断面図である。
【図４】図４は、一つの実施形態の表示装置の他の一部を示す断面図である。
【発明を実施するための形態】
【０００８】
以下に、一つの実施の形態について、図１乃至図４を参照して説明する。なお、本明細書においては基本的に、ユーザ側を前方、ユーザから遠い側を後方、ユーザから見て左側を左方、ユーザから見て右側を右方、ユーザから見て上方を上方、ユーザから見て下方を下方と定義する。また、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、一つの実施の形態に係るテレビジョン受像装置（以下、テレビと称する）１０を示す斜視図である。テレビ１０は、映像表示装置の一例である。なお、映像表示装置はテレビ１０に限らず、ポータブルコンピュータ、ディスプレイ、携帯電話、スマートフォン、タブレット、ウェアラブルデバイス、及びカーナビゲーションシステムのような種々の装置であっても良い。図１に示すように、テレビ１０は、表示装置１１と、スタンド１２とを有する。
【００１０】
図面に示されるように、本明細書において、Ｘ軸、Ｙ軸及びＺ軸が定義される。Ｘ軸とＹ軸とＺ軸とは、互いに直交する。Ｘ軸は、テレビ１０の幅（長さ）に沿う。Ｙ軸は、テレビ１０の奥行（厚み）に沿う。Ｚ軸は、テレビ１０の高さに沿う。
【００１１】
表示装置１１は、電波又はケーブルを用いて送信される信号を受信するとともに、当該信号から映像及び音声を再生する。なお、本明細書において、映像は、例えば、静止画、動画、及び単色画面を含む。表示装置１１は、スタンド１２によって支持される。なお、表示装置１１はこれに限らず、例えば壁に掛けられても良い。
【００１２】
表示装置１１は、ディスプレイモジュール２１と、ユニットカバー２２とを有する。ディスプレイモジュール２１は、例えば、表示部、部品、ユニット、又はモジュールとも称され得る。ユニットカバー２２は、カバーの一例であり、例えば、ケース、筐体、又は部品とも称され得る。
【００１３】
本実施形態におけるディスプレイモジュール２１は、液晶ディスプレイ（ＬＣＤ）である。なお、ディスプレイモジュール２１はこれに限らず、例えば、プラズマディスプレイ、有機ＥＬディスプレイ、及び電子ペーパーのような、他の映像を表示する部品であっても良い。
【００１４】
ディスプレイモジュール２１は、画面２１ａを有する。画面２１ａは、Ｙ軸に沿う方向である前方に向く。ディスプレイモジュール２１は、テレビ１０が受信した信号に基づく映像を、画面２１ａに表示する。なお、画面２１ａに表示される映像はこれに限らない。
【００１５】
図２は、図１のＦ２−Ｆ２線に沿って表示装置１１を示す断面図である。図３は、表示装置１１の一部を拡大して示す断面図である。図４は、表示装置１１の他の一部を拡大して示す断面図である。
【００１６】
図２乃至図４に示すように、ディスプレイモジュール２１は、複数の光源３１（図２に示す）と、複数の光学シート３２と、液晶パネル３３と、バックカバー３４と、バックカバーシールド３５（図４に示す）と、ミドルフレーム３６と、フロントカバー３７と、複数の第１のネジ３８（図３に示す）と、複数の第２のネジ３９（図４に示す）とを有する。
【００１７】
光学シート３２は、光学部材の一例であり、例えば、部品又は部材とも称され得る。液晶パネル３３は、例えば、表示部、部品、又は部材とも称され得る。バックカバーシールド３５は、支持部材の一例である。ミドルフレーム３６は、フレーム部材の一例である。フロントカバー３７は、ベゼル部材の一例である。バックカバー３４、バックカバーシールド３５、ミドルフレーム３６、及びフロントカバー３７は、例えば、カバー、保持部、又は部品とも称され得る。第１のネジ３８は、固定部材の一例であり、例えば、締結部材とも称され得る。
【００１８】
光源３１は、例えばＬＥＤである。なお、光源３１はこれに限らず、例えば、冷陰極管のような他の光源であっても良い。図２に示すように、複数の光源３１は、所定の間隔で並んで配置される。光源３１は、前方に向かって光を発する。
【００１９】
複数の光学シート３２は、例えば、拡散シート、プリズムシート、及び反射シートのような互いに重ねられた種々の部材である。光学シート３２は、光源３１に面する。光学シート３２は、例えば、光源３１から入射された光を均一化して、液晶パネル３３に向かって出射する。なお、光学シート３２はこれに限られない。
【００２０】
液晶パネル３３は、例えば、液晶、ガラス基板、及び偏光板のような種々の部材を有する。液晶パネル３３は、光学シート３２に面する。すなわち、光学シート３２は、光源３１と液晶パネル３３との間に配置される。
【００２１】
液晶パネル３３は、ディスプレイモジュール２１の画面２１ａを形成し、テレビ１０が受信した信号に基づく画像を形成する。当該画像を形成する液晶パネル３３に、光学シート３２によって均一化された光が入射することにより、画面２１ａに映像が表示される。なお、ディスプレイモジュール２１の画面２１ａが映像を表示する方法はこれに限られない。
【００２２】
バックカバー３４は、ディスプレイモジュール２１の背面２１ｂの少なくとも一部を形成する部品である。バックカバー３４は、概略的に述べると、略矩形（四角形）の底面を有するとともに一方の底面が開放された錐台の箱型に形成される。バックカバー３４は、例えばプレス加工された金属板によって作られる。なお、バックカバー３４は他の材料によって作られても良い。バックカバー３４は、底壁４１（図２に示す）と、第１の枠壁４２と、第１の縁部４３と、斜壁４４と、を有する。第１の縁部４３は、第３の延部の一例であり、例えば、壁又は部分とも称され得る。
【００２３】
底壁４１は、略矩形（四角形）の板状の部分であり、バックカバー３４の底面３４ａを形成する。底面３４ａは、前方に向く略平坦な面である。なお、底面３４ａに、凹凸や開口が設けられても良い。底面３４ａは、複数の光源３１を支持する。
【００２４】
図３に示す第１の枠壁４２は、略矩形（四角形）の枠状の部分である。第１の枠壁４２は、底壁４１よりも前方に位置する。第１の枠壁４２は、第１の支持面４２ａと、外縁部４２ｂと、内縁部４２ｃとを有する。
【００２５】
第１の支持面４２ａは、前方に向く略平坦な枠状の面である。第１の支持面４２ａは、光学シート３２に面する。第１の支持面４２ａは、光学シート３２に接しても良いし、光学シート３２から離間しても良い。
【００２６】
第１の縁部４３は、第１の枠壁４２の外縁部４２ｂから前方に向かって延びる板状の部分である。なお、第１の縁部４３が延びる方向は、Ｙ軸に対して傾斜しても良いし、後方に延びても良い。言い換えると、第１の縁部４３は、画面２１ａに向かって延びる。第１の縁部４３は、略矩形の第１の枠壁４２の外縁部４２ｂから延びるため、略矩形の枠状に形成される。なお、第１の縁部４３はこれに限られない。
【００２７】
斜壁４４は、底壁４１の縁部と、第１の枠壁４２の内縁部４２ｃとを接続する板状の部分である。斜壁４４は、第１の枠壁４２の内壁部４２ｃから、先細るように底壁４１の縁部に向かって延びる。
【００２８】
斜壁４４の一部に、ディスプレイモジュール２１をユニットカバー２２に固定するための固定部４４ａが設けられる。固定部４４ａは、例えば、略鉛直な平面と、ネジ孔とを有する。
【００２９】
図４に示すバックカバーシールド３５は、例えば、バックカバー３４に取り付けられた基板のような種々の部品を覆う部品である。バックカバーシールド３５は、バックカバー３４に取り付けられ、後方からバックカバー３４の一部を覆う。バックカバー３４とバックカバーシールド３５とは、ディスプレイモジュール２１の背面２１ｂを形成する。
【００３０】
ディスプレイモジュール２１の背面２１ｂは、画面２１ａの反対側に位置し、後方に向くディスプレイモジュール２１の一部である。なお、背面２１ｂが向く方向は、Ｙ軸に対して傾斜しても良い。位置によって、バックカバー３４の底壁４１、第１の枠壁４２、及び斜壁４４と、バックカバーシールド３５と、のような種々の部分が、背面２１ｂを形成する。
【００３１】
ミドルフレーム３６は、例えば、光学シート３２と液晶パネル３３との間に隙間を介在させるとともに、当該光学シート３２及び液晶パネル３３を支持する部品である。ミドルフレーム３６は、例えば合成樹脂によって作られる。なお、ミドルフレーム３６は他の材料によって作られても良い。ミドルフレーム３６は、第２の枠壁５１と、第２の縁部５２と、第１の挿入口５３とを有する。第２の枠壁５１は、支持部の一例であり、例えば、縁、壁、又は部分とも称され得る。第２の縁部５２は、第２の延部の一例であり、例えば、壁又は部分とも称され得る。
【００３２】
第２の枠壁５１は、略矩形（四角形）の枠状の部分である。第２の枠壁５１は、第２の支持面５１ａと、第３の支持面５１ｂと、外縁部５１ｃと、内縁部５１ｄとを有する。
【００３３】
第２の支持面５１ａは、後方に向く枠状の面である。第２の支持面５１ａは、光学シート３２に面する。なお、第２の支持面５１ａは、光学シート３２に接しても良いし、光学シート３２から離間しても良い。複数の光学シート３２は、バックカバー３４の第１の枠壁４２の第１の支持面４２ａと、ミドルフレーム３６の第２の枠壁５１の第２の支持面５１ａとの間に保持される。
【００３４】
第３の支持面５１ｂは、前方に向く略平坦な枠状の面である。第３の支持面５１ｂは、第２の支持面５１ａの反対側に位置する。第３の支持面５１ｂは、液晶パネル３３に面する。第３の支持面５１ｂに、第１のゴム５５が貼り付けられる。第３の支持面５１ｂは、第１のゴム５５を介して、液晶パネル３３を支持する。
【００３５】
第２の縁部５２は、第２の枠壁５１の外縁部５１ｃから後方に向かって延びる板状の部分である。なお、第２の縁部５２が延びる方向は、Ｙ軸に対して傾斜しても良い。第２の縁部５２は、略矩形の第２の枠壁５１の外縁部５１ｃから延びるため、略矩形の枠状に形成される。なお、第２の縁部５２はこれに限られない。
【００３６】
第１の挿入口５３は、枠状の第２の縁部５２の内側に設けられる。言い換えると、第１の挿入口５３は、第２の枠壁５１の外縁部５１ｃに設けられる。第１の挿入口５３は、後方に向かって開口するとともに、第２の縁部５２及び第２の枠部５１の外縁部５１ｃに沿って延びる溝である。第１の挿入口５３は底を有する凹部であるが、底が無い孔であっても良い。
【００３７】
第１の挿入口５３に、バックカバー３４の第１の縁部４３の先端部が挿入される。第１の挿入口５３に挿入された第１の縁部４３は、第２の縁部５２に囲まれる。第１の縁部４３は、第２の縁部５２に沿って延びており、第２の縁部５２に重ねられる。なお、本実施形態において、第１の縁部４３は、第２の縁部５２の内側に重ねられるが、第２の縁部５２の外側に重ねられても良い。
【００３８】
第２の枠壁５１の内縁部５１ｄは、略矩形の開口部を形成する。光学シート３２によって均一化された光源３１の光は、内縁部５１ｄが形成する開口部を通って液晶パネル３３に入射する。
【００３９】
フロントカバー３７は、例えば、液晶パネル３３を支持及び保護する部品である。フロントカバー３７は、例えばプレス加工された金属板によって作られる。なお、フロントカバー３７は他の材料によって作られても良い。フロントカバー３７は、第３の枠壁６１と、第３の縁部６２とを有する。第３の枠壁６１は、覆部の一例であり、例えば、縁、壁、又は部分とも称され得る。第３の縁部６２は、第１の延部の一例であり、例えば、壁又は部分とも称され得る。
【００４０】
第３の枠壁６１は、略矩形の枠状の部分であり、ディスプレイモジュール２１のベゼルを形成する。すなわち、第３の枠壁６１は、ディスプレイモジュール２１の画面２１ａを囲む。第３の枠壁６１は、第４の支持面６１ａと、外縁部６１ｂと、内縁部６１ｃとを有する。
【００４１】
第４の支持面６１ａは、後方に向く略平坦な枠状の面である。第４の支持面６１ａは、液晶パネル３３に面する。第４の支持面６１ａに、第２のゴム６６が貼り付けられる。第４の支持面６１ａは、第２のゴム６６を介して、液晶パネル３３を支持する。すなわち、液晶パネル３３は、ミドルフレーム３６の第２の枠壁５１の第３の支持面５１ｂと、フロントカバー３７の第３の枠壁６１の第４の支持面６１ａとの間に保持される。
【００４２】
第３の縁部６２は、第３の枠壁６１の外縁部６１ｂから後方に向かって延びる板状の部分である。なお、第３の縁部６２が延びる方向は、Ｙ軸に対して傾斜しても良い。第３の縁部６２は、略矩形の第３の枠壁６１の外縁部６１ｂから延びるため、略矩形の枠状に形成される。なお、第３の縁部６２はこれに限られない。
【００４３】
第３の縁部６２は、ミドルフレーム３６の第２の縁部５２を囲む。第２の縁部５２は、第３の縁部６２に沿って延びており、第２の縁部５２に重ねられる。なお、本実施形態において、第２の縁部５２は、第３の縁部６２の内側に重ねられるが、第３の縁部６２の外側に重ねられても良い。
【００４４】
第３の縁部６２は、第１の部分６２ａと、第２の部分６２ｂとを有する。第１の部分６２ａは、第３の枠壁６１の外縁部６１ｂから延びる部分である。第２の部分６２ｂは、第１の部分６２ａの端部に接続されるとともに、第１の部分６２ａと平行に延びる部分である。すなわち、途中で曲げられた第３の縁部６２の基端側の部分が第１の部分６２ａであり、先端側の部分が第２の部分６２ｂである。
【００４５】
第１の部分６２ａは、ミドルフレーム３６の第２の縁部５２から離間する。第２の部分６２ｂは、第１の部分６２ａよりもディスプレイモジュール２１の内側に位置し、第２の縁部５２に接する。言い換えると、第２の部分６２ｂは、第１の部分６２ａよりも第２の縁部５２に近い。さらに別の表現をすれば、第１の部分６２ａは、第２の部分６２ｂからディスプレイモジュール２１の外部に向かって突出している。
【００４６】
略矩形の枠状に形成された第３の縁部６２は、上方に位置する部分と、左方に位置する部分と、右方に位置する部分と、下方に位置する部分と、を有する。第３の縁部６２の上方、左方、右方、下方にそれぞれ位置する部分は、第１の部分６２ａ及び第２の部分６２ｂをそれぞれ有する。すなわち、第３の縁部６２は、四方に亘って第１の部分６２ａ及び第２の部分６２ｂが形成されるように曲げられる。
【００４７】
第３の枠壁６１の内縁部６１ｃは、略矩形の開口部を形成する。液晶パネル３３が形成する画面２１ａに表示される映像は、内縁部６１ｃが形成する開口部を通してユーザに視認される。
【００４８】
バックカバーシールド３５は、第４の縁部７１を有する。第４の縁部７１は、バックカバーシールド３５の下端部から前方に向かって延びる板状の部分である。なお、第４の縁部７１が延びる方向は、Ｙ軸に対して傾斜しても良い。なお、第４の縁部７１はこれに限られない。
【００４９】
第４の縁部７１は、第３の枠壁６１の下方の外縁部６１ｂから延びる第３の縁部６２に外側から重ねられる。なお、第４の縁部７１は、第３の縁部６２の内側に重ねられても良い。
【００５０】
第４の縁部７１は、下面７１ａと、突片７１ｂとを有する。突片７１ｂは、突出部の一例である。下面７１ａは、下方に面する略平坦な面である。突片７１ｂは、下面７１ａから斜め後方に向かって突出する第４の縁部７１の一部である。なお、突片７１ｂが突出する方向はこれに限られない。
【００５１】
互いに重ねられた第１の縁部４３と、第２の縁部５２と、第３の縁部６２と、第４の縁部７１とは、ディスプレイモジュール２１の周壁８０を形成する。周壁８０は、液晶パネル３３の周縁３３ａを囲む略矩形の枠状の部分である。周縁３３ａは、画面２１ａと交差する面である。
【００５２】
周壁８０は、フロントカバー３７の第３の枠壁６１の外縁部６１ｂから後方に向かって延びる。すなわち、周壁８０は、画面２１ａに対して交差する方向に延びる。周壁８０が延びる方向は、Ｙ軸に対して傾斜しても良い。
【００５３】
周壁８０に、図３の第１の凸部８１と、図４の第２の凸部８２とが設けられる。第１の凸部８１及び第２の凸部８２は、例えば、延出部、突出部、張り出し部、嵌合部、挿入部、支持部、突片、又は部分とも称され得る。
【００５４】
図３に示すように、ミドルフレーム３６の第２の縁部５２の先端部５２ａと、フロントカバー３７の第３の縁部６２の先端部６２ｃとが、第１の凸部８１を形成する。なお、第１の凸部８１は、第２の縁部５２及び第３の縁部６２の一方によって形成されても良いし、他の部分をさらに有しても良い。第２の縁部５２の先端部５２ａは、第２の縁部５２の端面のみならず、当該端面を含む部分である。同様に、第３の縁部６２の先端部６２ｃは、第３の縁部６２の端面のみならず、当該端面を含む部分である。
【００５５】
第１の凸部８１を形成する第２の縁部５２の先端部５２ａと、第３の縁部６２の先端部６２ｃとは、ディスプレイモジュール２１の背面２１ｂから張り出す。言い換えると、第２の縁部５２の先端部５２ａと、第３の縁部６２の先端部６２ｃとは、バックカバー３４の第１の枠壁４２よりも後方に延びる。後方は、画面の反対側の一例である。なお、第２の縁部５２の先端部５２ａと、第３の縁部６２の先端部６２ｃとが張り出す方向はこれに限られず、例えば、Ｙ軸に対して傾斜する方向に張り出しても良い。
【００５６】
第２の縁部５２の先端部５２ａは、第３の縁部６２の先端部６２ｃよりも後方に張り出す。言い換えると、第２の縁部５２の先端部５２ａの、バックカバー３４の第１の枠壁４２よりも後方に延びた部分は、第３の縁部６２の先端部６２ｃの、バックカバー３４の第１の枠壁４２よりも後方に延びた部分よりも長い。
【００５７】
図４に示すように、第４の縁部７１の突片７１ｂが、第２の凸部８２を形成する。言い換えると、第２の凸部８２は、第４の縁部７１の、斜め後方に張り出した部分によって形成される。斜め後方は、画面の反対側の一例である。なお、第２の凸部８２は、他の部分をさらに有しても良い。また、第２の凸部８２が張り出す方向はこれに限られず、例えば、後方に張り出しても良い。
【００５８】
図３では、ミドルフレーム３６及びフロントカバー３７の上方に位置する部分（Ｘ軸に沿う方向に延びる部分）の断面が示される。ミドルフレーム３６及びフロントカバー３７は、当該ミドルフレーム３６及びフロントカバー３７の左方及び右方に位置する部分（Ｚ軸に沿う方向に延びる部分）においても、図３と略同一の断面形状を有する。すなわち、ディスプレイモジュール２１の背面２１ｂから張り出す第２の縁部５２の先端部５２ａと、第３の縁部６２の先端部６２ｃとは、ミドルフレーム３６及びフロントカバー３７の三方（上方、左方、右方）に亘って連続して設けられる。なお、第２の縁部５２の先端部５２ａと、第３の縁部６２の先端部６２ｃとはこれに限られない。例えば、第２の縁部５２の先端部５２ａと、第３の縁部６２の先端部６２ｃとは、ディスプレイモジュール２１の背面２１ｂから部分的に張り出しても良い。
【００５９】
図４に示すように、第２の凸部８２を形成する第４の縁部７１の突片７１ｂは、ディスプレイモジュール２１の下方に位置する部分（Ｘ軸に沿う方向に延びる部分）に設けられる。すなわち、第１の凸部８１（第２の縁部５２の先端部５２ａ及び第３の縁部６２の先端部６２ｃ）と、第２の凸部８２（第４の縁部７１の突片７１ｂ）とは、略矩形の周壁８０の四方に巡らされる。
【００６０】
図３に示すように、複数の第１のネジ３８は、バックカバー３４の第１の縁部４３、ミドルフレーム３６の第２の縁部５２、及びフロントカバー３７の第３の縁部６２の、互いに重ねられた部分を固定する。第１のネジ３８は、第２の縁部５２の先端部５２ａ及び第３の縁部６２の先端部６２ｃから外れた位置で、第１の縁部４３、第２の縁部５２、及び第３の縁部６２を互いに固定する。第１のネジ３８は、例えば、第２の縁部５２及び第３の縁部６２にそれぞれ設けられた孔を通り、第１の縁部４３に設けられたネジ孔にネジ留めされる。なお、第１の縁部４３、第２の縁部５２、及び第３の縁部６２は、第１のネジ３８に限らず、例えば爪のような他の手段によって互いに固定されても良い。
【００６１】
第１のネジ３８の先端は、例えば、光学シート３２に面する。さらに、第１のネジ３８のネジ頭３８ａは、第３の縁部６２の第２の部分６２ｂに当接する。ネジ頭３８ａは、第１の部分６２ａよりもディスプレイモジュール２１の内側に位置する。すなわち、ネジ頭３８ａは、第２の部分６２ｂによって形成された窪みに隠される。
【００６２】
図４に示すように、複数の第２のネジ３９は、バックカバー３４の第１の縁部４３、ミドルフレーム３６の第２の縁部５２、フロントカバー３７の第３の縁部６２、及びバックカバーシールド３５の第４の縁部７１の、互いに重ねられた部分を固定する。第２のネジ３９は、第４の縁部７１の突片７１ｂから外れた位置で、第１の縁部４３、第２の縁部５２、第３の縁部６２、及び第４の縁部７１を互いに固定する。第２のネジ３９は、例えば、第２の縁部５２、第３の縁部６２、及び第４の縁部７１に設けられた孔を通り、第１の縁部４３に設けられたネジ孔にネジ留めされる。なお、第１の縁部４３、第２の縁部５２、及び第３の縁部６２は、第２のネジ３９に限らず、例えば爪のような他の手段によって互いに固定されても良い。
【００６３】
上述のように、ミドルフレーム３６及びフロントカバー３７の上方、左方、及び右方に位置する部分は、略同一の断面形状を有する。ミドルフレーム３６及びフロントカバー３７の下方に位置する部分は、ミドルフレーム３６及びフロントカバー３７の上方、左方、及び右方に位置する部分と異なる断面形状を有する。なお、ミドルフレーム３６及びフロントカバー３７の上方、左方、右方、及び下方に位置する部分が互いに略同一の断面形状を有しても良い。
【００６４】
ユニットカバー２２は、例えば、ガラス繊維を含む合成樹脂によって作られ、前面が開放された扁平な略矩形の箱型に形成される。なお、ユニットカバー２２は、他の材料によって作られても良い。
【００６５】
図２に示すように、ユニットカバー２２は、表示装置１１の側面１１ａと背面１１ｂとを形成する。側面１１ａは、上方、下方、左方、及び右方にそれぞれ向く表示装置１１の外面である。背面１１ｂは、後方に向く表示装置１１の外面である。
【００６６】
図３及び図４に示すように、ユニットカバー２２は、外周壁９１と、背壁９２と、複数の第１のリブ９３と、複数の第２のリブ９４とを有する。外周壁９１は、例えば、支持部、当接部、又は部分とも称され得る。第１のリブ９３は、支持壁の一例である。第２のリブ９４は、例えば、支持部、当接部、又は部分とも称され得る。
【００６７】
外周壁９１は、表示装置１１の側面１１ａを形成する。外周壁９１は、略矩形の枠状の部分である。外周壁９１の内周面９１ａは、前方に開口する開口部９７を形成する。内周面９１ａは、内面の一例である。
【００６８】
開口部９７は、ディスプレイモジュール２１に対応する略矩形の穴である。開口部９７に、ディスプレイモジュール２１が嵌め込まれる。これにより、ユニットカバー２２は、ディスプレイモジュール２１を収容する。なお、ユニットカバー２２は、回路基板、スピーカ、及びチューナのような種々の部品をさらに収容する。
【００６９】
開口部９７にディスプレイモジュール２１が嵌め込まれることで、外周壁９１は、ディスプレイモジュール２１のフロントカバー３７の第３の縁部６２を囲む。外周壁９１は、ミドルフレーム３６の第２の縁部５２の反対側（外側）から、第３の縁部６２を覆う。外周壁９１の内周面９１ａは、第３の縁部６２に面する。
【００７０】
上方に位置する外周壁９１の一部（上方部分）９１ｂと、左方に位置する外周壁９１の一部と、右方に位置する外周壁９１の一部とは、互いに略同一の断面形状を有する。下方に位置する外周壁９１の一部（下方部分）９１ｃは、外周壁９１の上方部分９１ｂ、左方部分、及び右方部分と異なる断面形状を有する。なお、外周壁９１の上方部分９１ｂ、左方部分、右方部分、及び下方部分９１ｃが互いに略同一の断面形状を有しても良い。
【００７１】
外周壁９１の上方部分９１ｂの内周面９１ａと、下方部分９１ｃの内周面９１ａとは、互いに向かい合う。向かい合う外周壁９１の上方部分９１ｂと下方部分９１ｃとの間に、ディスプレイモジュール２１が配置される。同様に、外周壁９１の左方部分の内周面９１ａと、右方部分の内周面９１ａとは、互いに向かい合う。外周壁９１の下方部分９１ｃの内周面９１ａは、窪んでいる。
【００７２】
外周壁９１の上方部分９１ｂ、左方部分、及び右方部分は、対応する第２の縁部５２及び第３の縁部６２に沿って延びる。例えば、外周壁９１の上方部分９１ｂは、第２の縁部５２及び第３の縁部６２に沿って、Ｘ軸に沿う方向に延びる。
【００７３】
同様に、外周壁９１の下方部分８１ｃは、第４の縁部７１に沿って延びる。すなわち、外周壁９１の下方部分９１ｃは、第４の縁部７１に沿って、Ｘ軸に沿う方向に延びる。
【００７４】
背壁９２は、表示装置１１の背面１１ｂを形成する。背壁９２は、開口部９７に嵌め込まれたディスプレイモジュール２１の背面２１ｂを覆う。外周壁９１は、背壁９２の縁部から前方に延びる。なお、外周壁９１が延びる方向は、Ｙ軸に対して傾斜しても良い。
【００７５】
背壁９２に、固定部９２ａが設けられる。固定部９２ａは、例えば、略鉛直な平面と、孔とを有する。背壁９２の固定部９２ａは、バックカバー３４の斜壁４４の固定部４４ａに対応する位置に設けられる。
【００７６】
第３のネジ９９が、背壁９２の固定部９２ａを、バックカバー３４の斜壁４４の固定部４４ａに固定する。第３のネジ９９は、背壁９２の固定部９２ａの孔を通り、斜壁４４の固定部４４ａのネジ孔にネジ留めされる。これにより、ディスプレイモジュール２１がユニットカバー２２に固定される。なお、ディスプレイモジュール２１は、爪のような他の手段によってユニットカバー２２に固定されても良い。第３のネジ９９は、ディスプレイモジュール２１が、ユニットカバー２２に対してＹ軸に沿う方向に移動することを抑制する。
【００７７】
第１のリブ９３は、背壁９２から前方に向かって延びる板状の部分である。第１のリブ９３は、対応する外周壁９１の上方部分９１ｂ、左方部分、及び右方部分と一体に形成される。複数の第１のリブ９３は、対応する外周壁９１の上方部分９１ｂ、左方部分、及び右方部分に沿う方向に、隙間を介して並んで配置される。例えば、外周壁９１の上方部分９１ｂに対応する複数の第１のリブ９３は、Ｘ軸に沿う方向に並んで配置される。
【００７８】
第１のリブ９３は、端面９３ａを有する。端面９３ａは、支持面の一例である。複数の第１のリブ９３は、端面９３ａが対応する外周壁９１の上方部分９１ｂ、左方部分、及び右方部分の内周面９１ａに隙間を介して面するようにそれぞれ配置される。
【００７９】
第１のリブ９３は、対応する外周壁９１の上方部分９１ｂ、左方部分、及び右方部分と直交（交差）する方向に延びる。言い換えると、第１のリブ９３は、端面９３ａが向く方向に延びる。例えば、Ｘ軸に沿う方向に延びる外周壁９１の上方部分９１ｂに対応する第１のリブ９３は、Ｚ軸に沿う方向に延びる。このため、第１のリブ９３は、対応するミドルフレーム３６の第２の縁部５２及びフロントカバー３７の第３の縁部６２と直交（交差）する方向に延びる。
【００８０】
第１のリブ９３は、対応する外周壁９１の上方部分９１ｂ、左方部分、及び右方部分に接続される。第１のリブ９３は、図３のように対応する外周壁９１の上方部分９１ｂ、左方部分、及び右方部分に直接的に接続される。しかし、第１のリブ９３は、例えば、背壁９２を介して対応する外周壁９１の上方部分９１ｂ、左方部分、及び右方部分に接続されても良い。
【００８１】
第１のリブ９３と、対応する外周壁９１の上方部分９１ｂ、左方部分、及び右方部分とは、第２の挿入口１０１を形成する。第２の挿入口１０１は、例えば、凹部、溝、窪み、又は開口とも称され得る。第２の挿入口１０１は、第１のリブ９３と、対応する外周壁９１の上方部分９１ｂ、左方部分、及び右方部分との間の隙間によって形成される。複数の第２の挿入口１０１が、対応する外周壁９１の上方部分９１ｂ、左方部分、及び右方部分に沿う方向に並んで設けられる。
【００８２】
第２の挿入口１０１は、前方に向かって開放される。開口部９７にディスプレイモジュール２１が嵌め込まれることで、複数の第２の挿入口１０１に第２の縁部５２の先端部５２ａと、第３の縁部６２の先端部６２ｃとが挿入され、嵌め込まれる。言い換えると、第１のリブ９３の端面９３ａと、対応する外周壁９１の上方部分９１ｂ、左方部分、及び右方部分の内周面９１ａとの間に、第２の縁部５２の先端部５２ａと、第３の縁部６２の先端部６２ｃとが配置される。
【００８３】
第１のリブ９３の端面９３ａは、ミドルフレーム３６の第２の縁部５２の先端部５２ａを支持する。第１のリブ９３及びミドルフレーム３６は、それぞれ合成樹脂によって作られる。すなわち、第１のリブ９３の第１の凸部８１を支持する部分と、第１の凸部８１の第１のリブ９３に面する部分とが、それぞれ合成樹脂によって作られる。
【００８４】
第２の挿入口１０１は、底部１０１ａを有する。底部１０１ａは、前方に向く面である。底部１０１ａは、第２の挿入口１０１に嵌め込まれた第２の縁部５２の先端部５２ａ及び第３の縁部６２の先端部６２ｃに向く。底部１０１ａは、第１のリブ９３によって形成される。なお、底部１０１ａは、外周壁９１や背壁９２によって形成されても良い。
【００８５】
第２の挿入口１０１の底部１０１ａに、第２の縁部５２の先端部５２ａが当接しても良い。すなわち、第２の挿入口１０１の底部１０１ａが、第２の縁部５２の先端部５２ａを支持しても良い。底部１０１ａは、第２の縁部５２の先端部５２ａを支持することで、ディスプレイモジュール２１がＹ軸に沿う方向に移動することを抑制する。第２の縁部５２が底部１０１ａに接触しても、フロントカバー３７の第３の縁部６２は、底部１０１ａから離間する。なお、第３の縁部６２が底部１０１ａに接触しても良い。
【００８６】
第２の挿入口１０１を形成する外周壁９１の上方部分９１ｂ、左方部分、及び右方部分と第１のリブ９３とは、それぞれ、Ｙ軸に沿う方向である前方に向かって延びる。Ｙ軸に沿う方向において、外周壁９１の上方部分９１ｂ、左方部分、及び右方部分のフロントカバー３７の第３の縁部６２に面する部分の長さは、第１のリブ９３の、ミドルフレーム３６の第２の縁部５２に面する部分の長さよりも長い。すなわち、Ｙ軸に沿う方向において外周壁９１の上方部分９１ｂ、左方部分、及び右方部分は、背壁９２から、第１のリブ９３よりも先に延びる。
【００８７】
図４に示すように、ユニットカバー２２は、第１の部分２２ａと、第２の部分２２ｂとを有する。第２の部分２２ｂは、第１の部分２２ａに取り外し可能に取り付けられる。例えば、第１の部分２２ａと第２の部分２２ｂとにそれぞれ設けられた凹凸が互いに嵌合することで、第２の部分２２ｂが第１の部分２２ａに取り付けられる。
【００８８】
第１の部分２２ａは、外周壁９１の上方部分９１ｂ、左方部分、及び右方部分と、背壁９２と、複数の第１のリブ９３とを有する。第２の部分２２ｂは、外周壁９１の下方部分９１ｃと、複数の第２のリブ９４とを有する。なお、第１の部分２２ａと第２の部分２２ｂとはこれに限られない。
【００８９】
第２の部分２２ｂは、内壁１０５をさらに有する。内壁１０５は、ディスプレイモジュール２１の背面２１ｂの一部を覆う。例えば、内壁１０５は、バックカバーシールド３５の少なくとも一部を覆う。第２の部分２２ｂが第１の部分２２ａに取り付けられると、内壁１０５は、ユニットカバー２２の内部に配置される。内壁１０５は、例えば、ディスプレイモジュール２１の背面２１ｂにネジによって固定される。
【００９０】
ディスプレイモジュール２１の背面２１ｂに、スタンド１２が、例えばネジによって取り付けられる。第２の部分２２ｂは、ディスプレイモジュール２１とスタンド１２との間に配置される。すなわち、ディスプレイモジュール２１とスタンド１２との間に、第２の部分２２ｂが挟持される。
【００９１】
第１の部分２２ａは、スタンド１２及び第２の部分２２ｂが取り付けられたディスプレイモジュール２１に取り付けられる。第１の部分２２ａがディスプレイモジュール２１に取り付けられると、例えば、第１の部分２２ａに設けられた切欠きのような凹部に、スタンド１２及び第２の部分２２ｂが嵌まる。
【００９２】
スタンド１２は、第２の部分２２ｂと、第１の部分２２ａの凹部が設けられた部分との間に配置される。言い換えると、スタンド１２は、第１の部分２２ａと第２の部分２２ｂとが形成する開口部を通って、ユニットカバー２２の内部でディスプレイモジュール２１に取り付けられる。
【００９３】
第２のリブ９４は、内壁１０５から前方に向かって延びる板状の部分である。第２のリブ９４は、対応する外周壁９１の下方部分９１ｃと一体に形成される。複数の第２のリブ９４は、対応する外周壁９１の下方部分９１ｃに沿う方向に、隙間を介して並んで配置される。言い換えると、複数の第２のリブ９４は、Ｘ軸に沿う方向に並んで配置される。
【００９４】
第２のリブ９４は、端面９４ａを有する。端面９４ａは、支持面の一例である。複数の第２のリブ９４は、端面９４ａが外周壁９１の下方部分９１ｃの内周面９１ａに隙間を介して面するようにそれぞれ配置される。
【００９５】
第２のリブ９４は、対応する外周壁９１の下方部分９１ｃと直交（交差）する方向に延びる。すなわち、Ｘ軸に沿う方向に延びる外周壁９１の下方部分９１ｃに対応する第２のリブ９４は、Ｚ軸に沿う方向に延びる。このため、第２のリブ９４は、対応するバックカバーシールド３５の第４の縁部７１と直交（交差）する方向に延びる。
【００９６】
第２のリブ９４は、対応する外周壁９１の下方部分９１ｃに接続される。第２のリブ９４は、図４のように対応する外周壁９１の下方部分９１ｃに直接的に接続される。しかし、第２のリブ９４は、例えば、内壁１０５を介して対応する外周壁９１の下方部分９１ｃに接続されても良い。
【００９７】
第２のリブ９４と、対応する外周壁９１の下方部分９１ｃとは、第３の挿入口１０７を形成する。第３の挿入口１０７は、例えば、凹部、溝、窪み、又は開口とも称され得る。第３の挿入口１０７は、第２のリブ９４と、対応する外周壁９１の下方部分９１ｃとの間の隙間によって形成される。複数の第３の挿入口１０７が、対応する外周壁９１の下方部分９１ｃに沿う方向に並んで設けられる。
【００９８】
第３の挿入口１０７を形成する外周壁９１の下方部分９１ｃと第２のリブ９４とは、それぞれ、Ｙ軸に沿う方向である前方に向かって延びる。Ｙ軸に沿う方向において、外周壁９１の下方部分９１ｃのフロントカバー３７の第３の縁部６２に面する部分の長さは、第２のリブ９４の、バックカバーシールド３５の第４の縁部７１の突片７１ｂに面する部分の長さよりも長い。すなわち、Ｙ軸に沿う方向において外周壁９１の下方部分９１ｃは、内壁１０５から、第２のリブ９４よりも先に延びる。
【００９９】
第３の挿入口１０７は、前方に向かって開放される。開口部９７にディスプレイモジュール２１が嵌め込まれることで、複数の第３の挿入口１０７に、バックカバーシールド３５の第４の縁部７１の突片７１ｂが挿入され、嵌め込まれる。言い換えると、第２のリブ９４の端面９４ａと、対応する外周壁９１の下方部分９１ｃの内周面９１ａとの間に、第４の縁部７１の突片７１ｂが配置される。
【０１００】
開口部９７にディスプレイモジュール２１が嵌め込まれることで、ミドルフレーム３６の第２の縁部５２の先端部５２ａが、対応する第１のリブ９３の端面９３ａによって支持される。さらに、バックカバーシールド３５の第４の縁部７１の突片７１ｂは、第２のリブ９４の端面９４ａによって支持される。
【０１０１】
例えば、図３に示すように、ミドルフレーム３６の第２の縁部５２の先端部５２ａとフロントカバー３７の第３の縁部６２の先端部６２ｃとが第２の挿入口１０１に挿入されると、ミドルフレーム３６及びフロントカバー３７は、第１のリブ９３と外周壁９１とによって挟持される。後方に延びる第２の縁部５２の先端部５２ａは、第１のリブ９３の端面９３ａに当接して支持される。第３の縁部６２の第１の部分６２ａは、外周壁９１に当接して支持される。なお、フロントカバー３７の第３の縁部６２の第１の部分６２ａと、外周壁９１との間に隙間が存在しても良い。
【０１０２】
さらに、図４に示すように、バックカバーシールド３５の第４の縁部７１の突片７１ｂが第３の挿入口１０７に挿入されると、バックカバーシールド３５、ミドルフレーム３６、及びフロントカバー３７は、第２のリブ９４と外周壁９１とによって挟持される。斜め後方に延びる第４の縁部７１の突片７１ｂは、第２のリブ９４の端面９４ａに当接して支持される。第３の縁部６２の第１の部分６２ａは、外周壁９１に当接して支持される。なお、フロントカバー３７の第３の縁部６２の第１の部分６２ａと、外周壁９１との間に隙間が存在しても良い。
【０１０３】
ミドルフレーム３６及びフロントカバー３７が、三方（上方、左方、及び右方）に亘って、第１のリブ９３と外周壁９１とによって支持される。さらに、バックカバーシールド３５、ミドルフレーム３６、及びフロントカバー３７が、下方で、第２のリブ９４と外周壁９１とによって支持される。このため、外周壁９１と、第１のリブ９３と、第２のリブ９４とは、ディスプレイモジュール２１が、ユニットカバー２２に対してＸ軸に沿う方向及びＹ軸に沿う方向に移動することを抑制する。
【０１０４】
ミドルフレーム３６の第２の縁部５２の先端部５２ａとフロントカバー３７の第３の縁部６２の先端部６２ｃとが第２の挿入口１０１に挿入されると、外周壁９１が、第１のネジ３８のネジ頭３８ａを覆う。ネジ頭３８ａは、外周壁９１と、第３の縁部６２の第１の部分６２ａとによって隠される。
【０１０５】
上述のように、外周壁９１の下方部分９１ｃの内周面９１ａは、窪んでいる。このため、第４の縁部７１の突片７１ｂが第３の挿入口１０７に挿入されると、外周壁９１が第２のネジ３９のネジ頭を収容する。第２のネジ３９は、外周壁９１によって隠される。
【０１０６】
ミドルフレーム３６の第２の縁部５２の先端部分５２ａが第１のリブ９３の端面９３ａに支持されると、当該第１のリブ９３に接続された外周壁９１がフロントカバー３７に向かって引っ張られる。言い換えると、外周壁９１がユニットカバー２２の内側に引っ張られる。さらに別の表現をすれば、外周壁９１とフロントカバー３７とが近づく。
【０１０７】
同様に、バックカバーシールド３５の第４の縁部７１の突片７１ｂが第２のリブ９４の端面９４ａに支持されると、当該第２のリブ９４に接続された外周壁９１がフロントカバー３７に向かって引っ張られる。言い換えると、外周壁９１がユニットカバー２２の内側に引っ張られる。さらに別の表現をすれば、外周壁９１とフロントカバー３７とが近づく。
【０１０８】
さらに、第２の縁部５２の先端部分５２ａが第１のリブ９３の端面９３ａに支持されるとともに、第４の縁部７１の突片７１ｂが第２のリブ９４の端面９４ａによって支持されると、外周壁９１の上方部分９１ｂと下方部分９１ｃとが、互いに近づくように撓む。外周壁９１の上方部分９１ｂと下方部分９１ｃとは、撓むことで、フロントカバー３７に向かって引っ張られる。同様に、外周壁９１の左方部分と右方部分とが、互いに近づくように撓み、フロントカバー３７に向かって引っ張られる。
【０１０９】
以上のように、開口部９７にディスプレイモジュール２１が嵌め込まれると、外周壁９１がフロントカバー３７に向かって引っ張られる。これにより、外周壁９１と、フロントカバー３７との間に隙間が存在する場合、当該隙間が縮小する。
【０１１０】
例えばテレビ１０が落下することで、テレビ１０に衝撃が作用することがある。この場合、液晶パネル３３が、フロントカバー３７の第３の枠壁６１に前方へ向かう力を作用させることがある。
【０１１１】
液晶パネル３３がフロントカバー３７に作用させる上記の力は、フロントカバー３７の第３の枠壁６１を前方へ捲れさせるような回転方向の力として、フロントカバー３７に作用する。このような回転方向の力がフロントカバー３７に作用すると、ミドルフレーム３６の第２の縁部５２の先端部５２ａを第１のリブ９３が支持するとともに、フロントカバー３７の第３の縁部６２の第１の部分６２ａを外周壁９１が支持する。また、バックカバーシールド３５の第４の縁部７１の突片７１ｂを第２のリブ９４が支持するとともに、フロントカバー３７の第３の縁部６２の第１の部分６２ａを外周壁９１が支持する。これにより、外周壁９１、第１のリブ９３、及び第２のリブ９４は、フロントカバー３７の第３の枠壁６１が前方へ捲れることを抑制する。
【０１１２】
以上説明した実施形態に係るテレビ１０において、ユニットカバー２２の第１のリブ９３の端面９３ａが、ミドルフレーム３６の第２の縁部５２の先端部５２ａを支持する。これにより、第２の縁部５２に沿って延びるフロントカバー３７の第３の縁部６２と、当該第３の縁部６２を覆うユニットカバー２２の外周壁９１とを互いに近づけるような力が、第３の縁部６２及び外周壁９１とに作用する。これにより、フロントカバー３７の第３の縁部６２と、ユニットカバー２２との間に隙間が生じることが抑制される。
【０１１３】
ミドルフレーム３６及びフロントカバー３７は、当該ミドルフレーム３６及びフロントカバー３７の上方、左方、及び右方に位置する部分において、略同一の断面形状を有する。すなわち、フロントカバー３７は、第３の縁部６２の、第３の枠壁６１の左方の端部から延びる部分（左方部分）と、第３の縁部６２の、第３の枠壁６１の右方の端部から延びる部分（右方部分）とを有する。同様に、ミドルフレーム３６は、第２の縁部５２の、第２の枠壁５１の左方の端部から延びる部分（左方部分）と、第２の縁部５２の、第２の枠壁５１の右方の端部から延びる部分（右方部分）と、を有する。第３の縁部６２の左方部分は、第１の側部の一例であり、第３の縁部６２の右方部分は、第２の側部の一例である。また、第２の縁部５２の左方部分は、第３の側部の一例であり、第２の縁部５２の右方部分は、第４の側部の一例である。複数の第１のリブ９３は、第２の縁部５２の左方部分を支持する端面９３ａ（第１の支持面の一例）を有する第１のリブ９３と、第２の縁部５３の右方部分を支持する端面９３ａ（第２の支持面の一例）を有する第１のリブ９３とを含む。第２の縁部５２の左方部分及び右方部分がそれぞれ第１のリブ９３の端面９３ａに支持されることで、第３の縁部６２の左方部分及び右方部分を覆う外周壁９１が第３の縁部６２に向かって引っ張られる。これにより、フロントカバー３７の第３の縁部６２と、ユニットカバー２２との間に隙間が生じることが抑制される。
【０１１４】
第１のネジ３８は、第１の縁部４３と、第２の縁部５２と、第３の縁部６２とを固定する。これにより、ディスプレイモジュール２１を一体的にユニットカバー２２に取り付け、第２の縁部５２の先端部５２ａを第１のリブ９３の端面９３ａに容易に支持させることが可能となる。すなわち、テレビ１０の製造性が向上する。
【０１１５】
第２の縁部５２の先端部５２ａは、ディスプレイモジュール２１の背面２１ｂから張り出す。これにより、第２の縁部５２を第１のリブ９３の端面９３ａに容易に支持させることが可能となる。すなわち、テレビ１０の製造性が向上する。
【０１１６】
バックカバー３４の第１の縁部４３は、前方に向かって延びる。前方に向かって延びる第１の縁部４３と、後方に向かって延びる第２の縁部５２及び第３の縁部６２とが、第１のネジ３８によって固定される。これにより、ディスプレイモジュール２１の背面２１ｂから張り出す第２の縁部５２の先端部５２ａの長さがより短くされ得るとともに、第１のリブ９３の端面９３ａに支持される部分（第２の縁部５２及び第３の縁部５３）の厚みがより薄くされ得る。したがって、テレビ１０が小型化され得る。
【０１１７】
第３の縁部６２が延びるＹ軸に沿う方向において、外周壁９１の内面９１ａの、第３の縁部６２に面する部分の長さは、第１のリブ９３の端面９３ａの、第２の縁部５２に面する部分の長さよりも長い。これにより、フロントカバー３７の第３の枠壁６１を捲れさせるような力がフロントカバー３７に作用した場合、外周壁９１の内面９１ａと、第１のリブ９３の端面９３ａとが、第２及び第３の縁部５２，６２をより確実に支持できる。これにより、フロントカバー３７が変形することが抑制される。
【０１１８】
第３の縁部６２は、第３の枠壁６１から延びるとともに第２の縁部５２から離間した第１の部分６２ａと、第１の部分６２ａから延びるとともに第２の縁部５２に接する第２の部分６２ｂとを有する。すなわち、第１の部分６２ａは第２の部分６２ｂよりも、画面２１ａに近く、且つ、外周壁９１に近い。これにより、フロントカバー３７の第３の縁部６２と、ユニットカバー２２との間に隙間が生じることが抑制される。
【０１１９】
ミドルフレーム３６の第２の縁部５２と、第１のリブ９３の端面９３ａとが、それぞれ樹脂によって作られる。これにより、ミドルフレーム３６の第２の縁部５２と、第１のリブ９３の端面９３ａとが、互いに接触して削れたり、騒音を生じたりすることが抑制される。
【０１２０】
ミドルフレーム３６の第２の縁部５２の先端部５２ａは、フロントカバー３７の第３の縁部６２の先端部６２ｃよりも後方に張り出す。これにより、フロントカバー３７の第３の縁部６２がユニットカバー２２に接触して、ユニットカバー２２が削れたり、騒音が生じたりすることが抑制される。
【０１２１】
第１のリブ９３は、第２の縁部５２の先端部５２ａを支持する端面９３ａが向く方向に延びる。これにより、第１のリブ９３が、第２の縁部５２の先端部５２ａをより確実に支持する。
【０１２２】
ユニットカバー２２の第２のリブ９４の端面９４ａが、バックカバーシールド３５の突片７１ｂを支持する。これにより、バックカバーシールド３５が第２のネジ３９によって取り付けられたフロントカバー３７の第３の縁部６２と、当該第３の縁部６２を覆うユニットカバー２２の外周壁９１とが、互いに近づく。これにより、フロントカバー３７の第３の縁部６２と、ユニットカバー２２との間に隙間が生じることが抑制される。
【０１２３】
以上説明した少なくとも一つの実施形態によれば、ベゼル部材の第１の延部に沿って延びる、フレーム部材の第２の延部を、カバーの支持面が支持する。カバーは、ベゼル部材の第１の延部を覆う。これにより、第１の延部とカバーとが近づき、第１の延部とカバーとの間に隙間が生じることが抑制される。
【０１２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２５】
例えば、上記実施の形態において、第２の延部の先端部の一例である第２の縁部５２の先端部５２ａは、板状の部分であったが、第２の延部の先端部はこれに限られない。例えば、第２の延部の先端部は突起であっても良い。
以下に、出願当初の特許請求の範囲の内容を付記する。
［１］
映像を表示する画面を有する液晶パネルと、
前記画面を囲む覆部と、前記覆部から前記画面の反対側に向かって延びる第１の延部と、を有するベゼル部材と、
前記覆部との間で前記液晶パネルを支持する支持部と、前記支持部から前記第１の延部に沿って延びる第２の延部と、を有するフレーム部材と、
前記第２の延部の先端部を支持する支持面を有するとともに、前記第１の延部を覆うカバーと、
を具備する映像表示装置。
［２］
前記第１の延部は、前記覆部の一方の端部から延びる第１の側部と、前記覆部の他方の端部から延びる第２の側部と、を有し、
前記第２の延部は、前記支持部の一方の端部から前記第１の側部に沿って延びる第３の側部と、前記支持部の他方の端部から前記第２の側部に沿って延びる第４の側部と、を有し、
前記支持面は、前記第３の側部の先端部を支持する第１の支持面と、前記第４の側部の先端部を支持する第２の支持面と、を有する、
［１］の映像表示装置。
［３］
光源と、
前記光源から入射された光を前記液晶パネルに向かって出射する光学部材と、
前記光源を支持するとともに、前記支持部との間で前記光学部材を支持し、前記第２の延部に沿って延びる第３の延部を有するバックカバーと、
前記第１の延部と、前記第２の延部と、前記第３の延部とを固定する固定部材と、
をさらに具備する［１］又は［２］の映像表示装置。
［４］
前記バックカバーは、前記画面の反対側に位置する背面を有し、
前記第２の延部の先端部は、前記バックカバーの前記背面から張り出す、
［３］の映像表示装置。
［５］
前記第３の延部は、前記画面に向かって延びる、［３］又は［４］の映像表示装置。
［６］
前記カバーは、前記第１の延部に面する内面を有し、
前記第１の延部が延びる方向において、前記内面の前記第１の延部に面する部分の長さは、前記支持面の前記第２の延部に面する部分の長さよりも長い、
［１］又は［５］の映像表示装置。
［７］
前記第１の延部は、前記覆部から延びるとともに前記第２の延部から離間した第１の部分と、前記第１の部分から延びるとともに前記第２の延部に接する第２の部分と、を有する、［１］又は［６］の映像表示装置。
［８］
前記第２の延部と前記支持面とが樹脂によって作られる、［１］又は［７］の映像表示装置。
［９］
前記第２の延部の先端部は、前記第１の延部の先端部よりも前記画面の反対側に張り出す、［８］の映像表示装置。
［１０］
前記カバーは、前記支持面が向く方向に延びるとともに前記支持面を有する支持壁を有する、［１］又は［９］の映像表示装置。
［１１］
映像を表示する画面を有する液晶パネルと、
前記画面を囲む覆部と、前記覆部から前記画面の反対側に向かって延びる延部と、を有するベゼル部材と、
前記延部に取り付けられ、前記画面の反対側に向かって突出する突出部を有する支持部材と、
前記突出部を支持する支持面を有するとともに、前記延部及び前記支持部材を覆うカバーと、
を具備する映像表示装置。
【符号の説明】
【０１２６】
１０…テレビ、２１…ディスプレイモジュール、２１ａ…画面、２２…ユニットカバー、２２ａ…第１の部分、２２ｂ…第２の部分、３１…光源、３２…光学シート、３３…液晶パネル、３３ａ…周縁、３４…バックカバー、３５…バックカバーシールド、３６…ミドルフレーム、３７…フロントカバー、３８…第１のネジ、４３…第１の縁部、５２…第２の縁部、６２…第３の縁部、７１…第４の縁部、７１ｂ…突片、９１…外周壁、９１ａ…内周面、９３…第１のリブ、９３ａ…端面、９４…第２のリブ、９４ａ…端面。
【図１】
0006474222.tif 000002
【図２】
0006474222.tif 000003
【図３】
0006474222.tif 000004
【図４】
0006474222.tif 000005